(57)【要約】赤外線ポート（７０）を有する処理装置（６５）と他の装置（５５）との間で通信リンクを形成するための赤外線コネクタは、装着構造（４５）と、赤外線インタフェース（４０）と、通信ケーブル（７５）とを有している。赤外線インタフェース（４０）は装着構造（４５）に対して機械的に接続され、通信ケーブル（７５）は赤外線インタフェース（４０）に接続されている。また、本発明は、２つのシステムの信号を時分割することによってプロセッサ入力装置の赤外線信号と処理装置の赤外線信号との間の干渉を防止するように、システムを動作させる方法を含んでいる。
2005516436.tif 000002
【特許請求の範囲】
【請求項１】
赤外線ポートを有する処理装置と第２の装置との間の通信リンクであって、
（ａ）装置に装着するための装着構造と、
（ｂ）前記装着構造に対して機械的に接続される赤外線インタフェースと、
（ｃ）前記赤外線インタフェースに対して動作可能に接続される通信ケーブルと、
を備える通信リンク。
【請求項２】
赤外線通信リンクであって、
（ａ）赤外線ポートを有する処理装置と、
（ｂ）請求項１に記載された通信リンクと、
における前記装着構造は、前記処理装置に対して装着するように構成され、前記赤外線インタフェースは、前記赤外線ポートとの光学的なアライメント状態が維持されることを特徴とする赤外線通信リンク。
【請求項３】
前記装着構造がクリップとして形成されることを特徴とする、請求項１に記載の通信リンク。
【請求項４】
前記装着構造は、少なくとも２つのクランプ面を有する単一の柔軟なクリップとして形成されることを特徴とする、請求項１に記載の通信リンク。
【請求項５】
（ａ）前記装着構造は、上側クランプ部と、下側クランプ部と、付勢部材とを有し、
（ｂ）前記付勢部材は、前記上側クランプ部と前記下側クランプ部とに対して機械的に接続されることを特徴とする、請求項１に記載の通信リンク。
【請求項６】
前記通信ケーブルが１つの光ファイバを含むことを特徴とする、請求項１に記載の通信リンク。
【請求項７】
前記通信ケーブルが導電ワイヤを含むことを特徴とする、請求項１に記載の通信リンク。
【請求項８】
前記第２の装置に対して装着するように構成された電気プラグを更に備え、前記電気プラグは、前記通信ケーブルに対して電気的に接続されることを特徴とする、請求項７に記載の通信リンク。
【請求項９】
前記赤外線インタフェースが電源を有することを特徴とする、請求項７に記載の通信リンク。
【請求項１０】
赤外線ポートを有する第１の装置を第２の装置に接続する方法であって、
（ａ）赤外線インタフェースで終端する第１の端部を有する通信ケーブルを設けるステップと、
（ｂ）前記赤外線インタフェースを第１の装置に対して装着することにより、前記赤外線インタフェースと前記赤外線ポートとの光学的なアライメント状態を維持するステップと、
を含む方法。
【請求項１１】
装着する前記ステップは、クリップを使用して行なわれることを特徴とする、請求項１０に記載の方法。
【請求項１２】
（ａ）装着する前記ステップは、上側クランプ部と下側クランプ部と付勢部材とを有する装着構造を使用することによって行なわれ、
（ｂ）前記付勢部材は、前記上側クランプ部と前記下側クランプ部とに対して機械的に接続されることを特徴とする、請求項１０に記載の方法。
【請求項１３】
前記通信ケーブルが１つの光ファイバを含むことを特徴とする、請求項１０に記載の方法。
【請求項１４】
請求項１０の方法における通信ケーブルを設ける前記ステップは、赤外線インタフェースで終端する第１の端部と、電気プラグで終端する第２の端部とを有する導電通信ケーブルを設けることによって行なわれ、前記電気プラグを前記第２の装置の電気インタフェースに接続する前記ステップを更に含むことを特徴とする、請求項１０に記載の方法。
【請求項１５】
様々な装置の赤外線信号間の干渉を防止する方法であって、前記装置は、第１のセクションと第２のセクションとを有するプロセッサ入力装置を有し、前記第１のセクションは、第１の赤外線インタフェースと外部赤外線インタフェースとを有し、前記第２のセクションは第２の赤外線インタフェースを有し、処理装置が赤外線ポートを有する前記方法において、
（ａ）前記第１の赤外線インタフェースと前記第２の赤外線インタフェースとの間の第１の信号を送信するステップと、
（ｂ）前記外部赤外線インタフェースと前記赤外線ポートとの間の第２の信号を送信するステップであって、前記第１の信号と前記第２の信号との間で時分割が行なわれるステップと、
を含む方法。
【請求項１６】
前記第２の赤外線インタフェースが送信用としてのみ構成されることを特徴とする、請求項１５に記載の方法。
【請求項１７】
（ａ）データエンコーディングのシステムに従って前記第２の信号を形成するステップと、
（ｂ）データエンコーディングの前記システムに従ってデータ内容が空きであるように前記第１の信号を形成するステップと、
を更に含むことを特徴とする、請求項１５に記載の方法。
【請求項１８】
前記処理装置に対してデータ内容が空きとなるように前記第１の信号を形成するステップを更に含むことを特徴とする、請求項１５に記載の方法。
【請求項１９】
（ａ）前記プロセッサ入力装置がデジタイザシステムであり、
（ｂ）前記第１のセクションが前記デジタイザシステムのベースユニットであり、
（ｃ）前記第２のセクションがスタイラスを有する移動可能な要素であり、
（ｄ）前記デジタイザシステムが前記スタイラスの移動を記録する、
ことを特徴とする請求項１５に記載の方法。
【請求項２０】
前記スタイラスは、基板上に書き込めるように構成されていることを特徴とする、請求項１９に記載の方法。
【発明の詳細な説明】
【技術分野】
【０００１】
本発明は赤外線通信リンクに関し、特に、デジタイザシステムにおける装着構造及びその応用についての赤外線通信リンクに関する。
【背景技術】
【０００２】
デスクトップコンピュータ、ポータブルコンピュータ、プリンタ、携帯端末（ＰＤＡ）、デジタルカメラ、パーソナル通信サービス（ＰＣＳ）ハンドセット等の多くの装置には、赤外線インタフェースポートがいまや装備されている。赤外線通信は、送信装置の赤外線インタフェースポートが受信装置の赤外線インタフェースポートの１５°（上下左右）の範囲内に位置合わせされる時に最も効果を発揮する。赤外線インタフェースポートが３０°の円錐内に位置合わせされる限り、適正な距離（一般に、最大３ｍまで）で接続がなされる。実際には、許容可能なリンク角度内及び距離内に、装置を位置決めすることは難しい。ポータブルコンピュータよりも移動性に乏しい比較的重い赤外線対応デスクトップコンピュータまたはプリンタにおいては、各装置の赤外線インタフェースポートがハウジングに固定されており、赤外線インタフェースポートの光軸がハウジングの表面に対し垂直であるため、問題が拡大する。また、ユーザが移動している時、あるいは装置がコンスタントに動いている他の状況において、赤外線インタフェースポートを位置合わせしようとする場合にも、問題が拡大する。
本発明に最も関連する特許としては、キム（Kim）に付与された米国特許第6,128,117号、ムーア（Moore）に付与された米国特許第5,343,319号、ベンジャミンら（Benjamin et al.）に付与された米国特許第5,668,654号、ダン（Dunn）に付与された米国特許第5,999,996号がある。上記の特許は、通信ケーブルによって第２の装置に接続される外部赤外線インタフェースポートを使用して、赤外線インタフェースポートを得る第１の装置へのリンクを形成することについて論じている。
【０００３】
【特許文献１】米国特許第6,128,117号
【特許文献２】米国特許第5,343,319号
【特許文献３】米国特許第5,668,654号
【特許文献４】米国特許第5,999,996号
【発明の開示】
【発明が解決しようとする課題】
【０００４】
上記のシステムの欠点は、赤外線通信リンクを維持するためにユーザが外部赤外線インタフェースポートを第１の装置の赤外線インタフェースポートに対して保持しなければならないことに起因している。これは、特に、第１の装置の赤外線インタフェースポートが平坦な面に隣接していない場合、あるいは、ユーザが移動しながら作業を行なう場合のように装置を頻繁に移動させている場合には実用的でない。
したがって、構成部品を更に都合良く且つ効果的に所望のアライメント状態に維持することができる赤外線通信リンクが必要である。
【課題を解決するための手段】
【０００５】
本発明は、装着構造を有する赤外線通信リンクである。
本発明の教示によれば、赤外線ポートを有する処理装置と第２の装置との間の通信リンクであって、（ａ）装置に装着するための装着構造と、（ｂ）前記装着構造に対して機械的に接続される赤外線インタフェースと、（ｃ）前記赤外線インタフェースに対して動作可能に接続される通信ケーブルとを備えている通信リンクが提供される。
本発明の更なる態様によれば、赤外線通信リンクであって、赤外線ポートを有する処理装置と、上述の通信リンクにおける前記装着構造は、前記処理装置に対して装着するように構成され、前記赤外線インタフェースは、前記赤外線ポートとの光学的なアライメント状態が維持される赤外線通信リンクが提供される。
本発明の更なる態様によれば、前記装着構造がクリップとして形成される。
本発明の更なる態様によれば、前記装着構造は、少なくとも２つのクランプ面を有する単一の柔軟なクリップとして形成される。
本発明の更なる態様によれば、前記装着構造は、上側クランプ部と、下側クランプ部と、付勢部材とを有し、前記付勢部材は、前記上側クランプ部と前記下側クランプ部とに対して機械的に接続される。
本発明の更なる態様によれば、前記通信ケーブルが１つの光ファイバを含む。
本発明の更なる態様によれば、前記通信ケーブルが導電ワイヤを含む。
本発明の更なる態様によれば、前記第２の装置に対して装着するように構成された電気プラグを更に備え、前記電気プラグは、前記通信ケーブルに対して電気的に接続される。
本発明の更なる態様によれば、赤外線インタフェースが電源を有する。
本発明の更なる教示によれば、前記赤外線ポートを有する第１の装置を第２の装置に接続する方法であって、（ａ）赤外線インタフェースで終端する第１の端部を有する通信ケーブルを設けるステップと、（ｂ）前記赤外線インタフェースを第１の装置に対して装着することにより、前記赤外線インタフェースと前記赤外線ポートとの光学的なアライメント状態を維持するステップとを含んでいる方法が提供される。
本発明の更なる態様によれば、装着する前記ステップは、クリップを使用して行なわれる。
【０００６】
本発明の更なる態様によれば、（ａ）装着する前記ステップは、上側クランプ部と下側クランプ部と付勢部材とを有する装着構造を使用することによって行なわれ、（ｂ）前記付勢部材は、前記上側クランプ部と前記下側クランプ部とに対して機械的に接続される。
本発明の更なる態様によれば、前記通信ケーブルが１つの光ファイバを含む。
本発明の更なる態様によれば、通信ケーブルを設ける前記ステップは、赤外線インタフェースで終端する第１の端部と、電気プラグで終端する第２の端部とを有する導電通信ケーブルを設けることによって行なわれ、前記電気プラグを前記第２の装置の電気インタフェースに接続する前記ステップを更に含む。
本発明の更なる教示によれば、様々な装置の赤外線信号間の干渉を防止する方法であって、前記装置は、第１のセクションと第２のセクションとを有するプロセッサ入力装置を有し、前記第１のセクションは、第１の赤外線インタフェースと外部赤外線インタフェースとを有し、前記第２のセクションは第２の赤外線インタフェースを有し、処理装置が赤外線ポートを有している前記方法において、（ａ）前記第１の赤外線インタフェースと前記第２の赤外線インタフェースとの間の第１の信号を送信するステップと、（ｂ）前記外部赤外線インタフェースと前記赤外線ポートとの間の第２の信号を送信するステップであって、前記第１の信号と前記第２の信号との間で時分割が行なわれるステップとを含んでいる方法が提供される。
本発明の更なる態様によれば、前記第２の赤外線インタフェースが送信用としてのみ構成される。
本発明の更なる態様によれば、（ａ）データエンコーディングのシステムに従って前記第２の信号を形成するステップと、（ｂ）データエンコーディングの前記システムに従ってデータ内容が空きであるように前記第１の信号を形成するステップとが更に設けられる。
本発明の更なる態様によれば、処理装置に対してデータ内容が空きとなるように第１の信号を形成するステップが更に設けられる。
本発明の更なる態様によれば、（ａ）前記プロセッサ入力装置がデジタイザシステムであり、（ｂ）前記第１のセクションが前記デジタイザシステムのベースユニットであり、（ｃ）前記第２のセクションがスタイラスを有する移動可能な要素であり、（ｄ）前記デジタイザシステムが前記スタイラスの移動を記録する。
本発明の更なる態様によれば、前記スタイラスは、基板上に書き込めるように構成される。
【発明を実施するための最良の形態】
【０００７】
ここで、一例として、添付図面を参照しながら、本発明について説明する。
本発明は、装着構造を有する赤外線通信リンクである。また、本発明は、そのような通信リンクをデジタイザシステムに適用する。
図面及び添付の明細書本文を参照することにより、本発明に係る装着構造を有する赤外線通信リンクの原理及び動作を更によく理解することができる。
まず始めに、本発明の赤外線通信リンクは、２つの主な構造を有している。第１の構造は、両端に赤外線インタフェースを有する光学リンクであり、このことは図１を参照して説明する。第２の構造は、一端に赤外線インタフェースを有し且つ他端に電気プラグを有する電気リンクであり、このことは図２を参照して説明する。
【０００８】
ここで、図１を参照する。図１は、赤外線通信ポートを有する２つの装置間に設けられ、本発明の好ましい実施態様に従って構築され動作する赤外線通信リンク１０の概略等角図である。電子装置１５は赤外線通信ポート２０を有しており、電子装置２５は赤外線通信ポート３０を有している。赤外線通信ポート２０は、赤外線通信リンク１０によって、赤外線通信ポート３０に接続される。赤外線通信リンク１０は、通信ケーブル３５と、２つの赤外線インタフェース４０と、２つの装着構造４５とを有している。各赤外線インタフェース４０の一端が通信ケーブル３５の両側の各端部に接続されている。各装着構造４５は、個々の赤外線インタフェース４０にそれぞれ機械的に接続されている。通信ケーブル３５は、一般に、少なくとも１つの光ファイバを有する光ファイバケーブルである。各赤外線インタフェース４０は、装着構造４５を電子装置１５と電子装置２５にそれぞれ装着することにより、赤外線通信ポート２０、３０と光学的に位置合わせされている。装着構造４５は、一般に、開閉することにより様々なサイズの電子装置に装着することができるクリップである。装着構造４５は、電子装置１５に対して迅速且つ強固に装着することができ、且つ電子装置１５から迅速に取り外すことができるように構成されている。装着構造４５の最も好ましい実施態様については、図３〜図７を参照して後述する。しかし、装着構造４５は、赤外線インタフェース４０を電子装置１５または電子装置２５に対して固定する吸着型の装置等の他の形態をとることができることを留意されたい。
【０００９】
ここで、図２を参照すると、図２は、電気ポート６０を有する電子装置５５と赤外線通信ポート７０を有する電子装置６５との間に設けられ、本発明の最も好ましい実施態様に従って構築され動作する赤外線通信リンク５０の概略等角図である。赤外線通信リンク５０は、通信ケーブル７５と、赤外線インタフェース４０と、電気プラグ６０と、装着構造４５とを有している。赤外線インタフェース４０は通信ケーブル７５の一端に接続され、電機プラグ６０は通信ケーブル７５の他端に電気的に接続されている。装着構造４５は、赤外線インタフェース４０に対して機械的に接続されている。通信ケーブル７５は、一般に、導電ワイヤである。赤外線インタフェース４０は、装着構造４５を使用して、電子装置６５に対して装着される。
【００１０】
ここで、図３〜図６を参照する。これらの図は、図１及び図２の赤外線通信リンクの一部を形成する装着構造４５を備える赤外線インタフェース４０の様々な図である。図１に関して前述したように、赤外線通信リンク１０は、通信ケーブル３５の両端に赤外線インタフェース４０を有する光学リンクである。図２に関して上記のように、赤外線通信リンク５０は、通信ケーブル７５の一端に赤外線インタフェース４０を有する電気リンクである。赤外線インタフェース４０は、赤外線通信リンク１０または赤外線通信リンク５０と共に使用される場合、赤外線インタフェース４０によって受けられる光を合焦させあるいは赤外線インタフェース４０によって伝送される光を分散させるためのレンズ８０を有する。また、赤外線通信リンク５０と共に使用するためには、赤外線インタフェース４０は、概略的に示される赤外線送信機８２と、対応する送信回路（図示せず）と、概略的に示される赤外線受信機８３と、対応する受信回路（図示せず）とを有する。赤外線送信機８２、対応する送信回路、赤外線受信機８３、対応する受信回路は、レンズ８０の後側の赤外線インタフェースに全て配置されている。赤外線送信機８２は一般に発光ダイオードであり、赤外線受信機８３は一般にフォトダイオードである。送信回路及び受信回路の機能が第１の電子装置５５（図２）によって与えられる場合には、赤外線インタフェース４０から送信回路と受信回路が省かれる。また、赤外線インタフェース４０は、一般にバッテリである電源装置（図示せず）を有している。電源装置は、一般に装着構造４５の背面とレンズ８０との間に設けられた細長くて中空の円筒形要素である電源装置区画室８５内に格納されている。また、赤外線インタフェース４０は、通信ケーブル７５（図２）で赤外線インタフェース４０を接続するためのソケット９０を有している。
【００１１】
装着構造４５は、一般に、開閉することにより様々なサイズの電子装置に装着することができるクリップである。一般に、クリップは、９ｍｍ〜２５ｍｍまで開放するように形成されている。装着構造４５は、上側クランプ部９５を有している。上側クランプ部９５は、湾曲した実質的に矩形状のプレートから形成されている。上側クランプ部９５は、２つの平坦な端面すなわち、前端面と後端面とを有している。上側クランプ部９５の前端面は、ゴム引きされた隆起部１００に機械的に接続されている。上側クランプ部９５の後端面は、付勢部材１１５に接続されている。装着構造４５は、実質的に平坦なプレートである下側クランプ部１０５を有している。下側クランプ部１０５の前端面は、ゴム引きされた隆起部１１０に機械的に接続されている。下側クランプ部１０５の後端面は、付勢部材１１５に接続されている。ゴム引きされた隆起部１００、１１０は、装着構造４５を電子装置６５に装着した際に装着構造４５が電子装置６５から滑り落ちることを防止する。付勢部材１１５は、電源装置区画室８５に機械的に接続されている。付勢部材１１５は、湾曲状に曲げられた実質的に矩形のプレートとして形成される。付勢部材１１５は、固定装置４５を開閉させて様々なサイズの電子装置に装着することができる十分な弾性を有する一方で、固定装置４５を電子装置に装着したままにしておくことができる。なお、上側クランプ部９５及び下側クランプ部１０５の一方または両方のどちらかは、一般に、付勢部材１１５と同じ機能を果たすために弾性を有していることに留意されたい。上側クランプ部９５及び下側クランプ部１０５の前端面は、一般に、電源装置区画室８５の軸方向長さよりも短い。上記は、赤外線インタフェース４０と電子装置６５の赤外線通信ポート７０との光学的なアライメント状態を維持するのに役立つ。上側クランプ部９５、下側クランプ部１０５、付勢部材１１５は、一般に成形プラスチックから形成され、また、一般に単一部品として形成される。
【００１２】
ここで、図７〜図９を参照する。まず始めに、特定の装置、例えばデジタイザシステムは、システムの様々な部材間での通信方法として赤外線信号を使用する内部オペレーティングシステムを有している。デジタイザシステムは、一般に、デスクトップコンピュータ、ポータブルコンピュータ、携帯端末（ＰＤＡ）、デジタルカメラ、パーソナル通信サービス（ＰＣＳ）ハンドセット等の外部装置と通信を行なう。デジタイザシステムと外部装置との間の通信は、一般に、両方の装置の赤外線通信ポートを使用することにより、上記の従来の電気接続によって引き起こされる問題を回避する。しかし、上記の解決策は、デジタイザシステム及び外部装置の赤外線通信ポート同士を位置合わせしなければならないという問題を招く。また、デジタイザまたは同様のシステムと外部装置との間で、デジタイザまたは同様のシステムの内部赤外線信号が外部信号と干渉する虞があるという問題も存在する。デジタイザシステムの一例は、電子ペンまたはスタイラスのためのトラッキングシステムである。この場合、電子ペンは、赤外線信号だけを使用して、あるいは、赤外線信号と超音波信号とを組み合わせ使用して、または、他の通信方法を使用して、ベースユニットと通信を行なう。また、ベースユニットは、赤外線信号を使用して携帯端末（ＰＤＡ）等の外部装置と通信を行ない、電子ペンまたはスタイラスの移動を記録する。
【００１３】
上記の点において、ここでは、図７を参照する。図７は、図１または図２の赤外線通信リンクを使用するシステムの動作の概略図である。装置１３０、例えばデジタイザシステムは、２つのセクション１３５、１４０を有している。例えば、セクション１３５はデジタイザシステムのベースユニットであり、セクション１４０は、基板上に書き込めるように構成されたデジタイザシステムの電子ペンである。セクション１３５は、２つの赤外線インタフェース１４２、１４３を有している。セクション１４０は、赤外線インタフェース１４４を有している。装置１４５、例えば、携帯端末は、赤外線インタフェース１４７を有している。赤外線インタフェース１４２と赤外線インタフェース１４４との間で信号１４８が送信される。赤外線インタフェース１４３と赤外線インタフェース１４７との間で信号１４９が送信される。上述した用語“との間で送信”は、双方向を意味している。干渉の問題は、一般に、信号１４８と信号１４９との間で生じる。すなわち、装置１３０及び装置１４５は、信号１４８または信号１４９またはこれらの組み合わせを受けている。セクション１４０が電子ペンである場合のように、赤外線インタフェース１４４が３６０°の角度の通信範囲を有していなければならない場合には、問題を解決することが更に難しくなる。また、一般に、赤外線インタフェース１４３、１４７同士を位置合わせするという問題がある。後述する多くの技術を使用することにより、干渉の問題を回避することができる。これらの技術は、独立に使用されても良く、あるいは、組み合わせて使用されても良い。問題を回避するための第１の技術は、概略的に示される赤外線通信リンク５０を使用することによって、赤外線インタフェース１４３と赤外線インタフェース１４７とを接続し、これによって、信号１４８と信号１４９とを物理的に分離することである。赤外線通信リンク５０の代わりに赤外線通信リンク１０（図１）を使用することもできる。
【００１４】
ここで、図８を参照する。図８は、本発明の最も好ましい実施態様に従って構築され動作し、且つ関連する装置の赤外線信号同士の干渉を防止するためのタイミングシステムの動作を示す概略図である。信号１４８、１４９間で一般に生じる干渉の問題を回避するための第２の技術として、タイミングシステム１５０は、信号１４８、１４９間で時分割を行なう。時分割により、信号１４８及び信号１４９の一方だけが任意の所定の時間に送受信される。タイミングシステム１５０は、装置１３０によって動作するとともに、一般にセクション１３５の一部を形成する。タイミングシステム１５０は、一般に、以下のプロトコルに従って動作する。信号１４８は、送信間に時間ｔの所定の間隔を有する周期的なタイミングスケジュールに従って赤外線インタフェース１４４によって送信される。信号１４９は、信号１４８の送信が完了した後、そして時間ｔよりも短い持続時間の間、赤外線インタフェース１４３によって送信される。
信号１４８と１４９との間で一般に生じる干渉の問題を回避するための第３の技術として、赤外線インタフェース１４３は、赤外線インタフェース１４３が信号１４８を受けることができないように、すなわち、赤外線インタフェース１４３が信号１４８を遮断するように位置されている。信号１４８の遮断は、一般に、赤外線インタフェース１４３の通信角度範囲を１８０°未満まで減らして、赤外線インタフェース１４３を適切に向けることによって達成される。なお、赤外線インタフェース１４２、１４３および１４７は、一般に、１８０°未満の通信角度範囲を有していることに留意されたい。更に具体的には、赤外線インタフェース１４３および１４７は、一般に、２０°〜３０°の通信角度範囲を有することができる。また、赤外線インタフェース１４２は、赤外線インタフェース１４２が信号１４９を受信することができないように位置決めされている。また、赤外線インタフェース１４４は、信号１４８の送信機としての機能を果たすだけであり、したがって信号を受信することができない。
信号１４８と信号１４９との間で一般に生じる干渉の問題を回避するための第４の技術として、信号１４８は、装置１４５に対してデータ内容の空きが現れるように形成される。これは、一般に、装置１４５によって使用されるデータエンコーディングのシステムに従って信号１４９が形成され且つデータエンコーディングのシステムに従ってデータ内容の空きとなるように信号１４８が形成される場合に達成することができる。したがって、信号１４８は、装置１４５によって解析された後に無視されるか、あるいは、信号１４８は装置１４５に関連するデータ内容を有していないため、装置１４５による前述の任意の解析は行わず、単に無視される。
【００１５】
ここで、図９を参照する。図９は、省電力モードで動作する図８のシステムの動作の概略図である。前置きとして、デジタイザシステム、ポータブルコンピュータ、携帯端末（ＰＤＡ）、デジタルカメラ、パーソナル通信サービス（ＰＣＳ）ハンドセット等のポータブル装置は、通常、再充電可能な電源装置すなわちバッテリを使用して動作する。赤外線通信は、十分な量のエネルギを使用する。したがって、必要最小限まで赤外線通信を減らすことが好ましい。これは、信号１４９の送信機としてのみ機能し、したがって、信号を受信することができない赤外線インタフェース１４３によって達成することができる。また、赤外線インタフェース１４７は、信号１４９の受信機としてのみ機能しなければならず、送信機として機能してはならない。
本発明は、特に図示して上述したものに限定されないことは、当業者であれば理解できるであろう。むしろ、上述した様々な特徴の組み合わせ及びサブコンビネーションの両方と、上述の明細書を読む際に当業者が想像するであろう従来技術にはない上述した様々な特徴の変形及び変更を本発明の範囲は含んでいる。
【図面の簡単な説明】
【００１６】
【図１】２つの赤外線インタフェースポート間に設けられ、且つ本発明の好ましい実施態様に従って構築され動作する赤外線通信リンクの概略等角図である。
【図２】赤外線インタフェースポートを有する第１の装置と電気インタフェースポートを有する第２の装置との間に設けられ、且つ本発明の最も好ましい実施態様に従って構築され動作する赤外線通信リンクの概略等角図である。
【図３】図１及び図２の赤外線通信リンクの一部を形成する装着構造及び外部赤外線インタフェースポートの等角図である。
【図４】図３の装着構造を備える外部赤外線インタフェースポートの平面図である。
【図５】図３の装着構造を備える外部赤外線インタフェースポートの正面図である。
【図６】図３の装着構造を備える外部赤外線インタフェースポートの側面図である。
【図７】図１または図２の赤外線通信リンクを使用するシステムの動作の概略図である。
【図８】関連する装置の赤外線信号の干渉を防止し、且つ本発明の他の実施態様に従って構築され動作するタイミングシステムの動作の概略図である。
【図９】省電力モードで動作する図８のシステムの動作の概略図である。
【符号の説明】
【００１７】
１０、５０  赤外線通信リンク、１５、２５  電子装置、２０、３０  赤外線通信ポート、３５、７５  通信ケーブル、４０、１４２、１４３、１４４、１４７  赤外線インタフェース、４５  装着構造（固定装置）、５５  電子装置、６０  電気ポート（電気プラグ）、６５  電子装置（処理装置）、７０  赤外線通信ポート（赤外線ポート）、８０  レンズ、８２  赤外線送信機、８３  赤外線受信機、８５  電源装置区画室、９０  ソケット、９５  上側クランプ部、１００、１１０  （ゴム引きされた）隆起部、１０５  下側クランプ部、１１５  付勢部材、１３０、１４５  装置、１３５、１４０  セクション、１４８、１４９  信号、１５０  タイミングシステム。
【図１】
2005516436.tif 000003
【図２】
2005516436.tif 000004
【図３】
2005516436.tif 000005
【図４】
2005516436.tif 000006
【図５】
2005516436.tif 000007
【図６】
2005516436.tif 000008
【図７】
2005516436.tif 000009
【図８】
2005516436.tif 000010
【図９】
2005516436.tif 000011
【国際調査報告】
2005516436.tif 000012